(57)【要約】【課題】カメラを持ち替えることなく縦撮影と横撮影を行えるようにする。【解決手段】デジタルスチルカメラ１は、撮像レンズ２とＣＣＤ撮像素子２１との間にドーブプリズム２０が設けられている。ＣＣＤ撮像素子２１は、有効画素エリアが画面水平方向の長い長方形をしている。撮影範囲切り替えスイッチ１１を操作して、縦撮影モードに設定すると、ドーブプリズム２０が４５度回転し、被写体の光学像は９０度回転する。撮像された被写体像は、液晶モニター８に出力される際に回転処理され、縦長の被写体画像が表示される。【選択図】        図３
2004151233.tif 000002
【特許請求の範囲】
【請求項１】
被写体光を像面上に結像させる結像光学系と、前記結像光学系を透過した光が入射することで長方形をした撮影有効エリア上で被写体の回転像を形成する像回転光学系と、被写体像の回転角度を設定する設定手段と、前記回転角度に応じて前記像回転光学系を駆動させる駆動手段とを備えていることを特徴とするカメラ。
【請求項２】
像面上に撮像素子が配置されるとともに、被写体画像が表示される略正方形状の表示画面を有するモニタと、被写体像の回転角度と同じ角度の回転処理をして被写体画像を前記モニタに出力する表示制御手段とを備えたことを特徴とする請求項１記載のカメラ。
【請求項３】
前記像回転光学系は、結像光学系の光軸上に設けられたドーブプリズムからなり、前記駆動手段は、入力設定された回転角度の半分の角度で前記ドーブプリズムを前記光軸の周りに回転駆動させることを特徴とする請求項１記載のカメラ。
【発明の詳細な説明】
【０００１】
【発明の属する技術分野】
本発明は、縦撮影と横撮影を行う際に構え方を変える必要をなくしたカメラに関するものである。
【０００２】
【従来の技術】
一般向けに普及しているカメラでは、普通に構えた状態の撮影範囲が横長の長方形に設定されている。銀塩カメラでは、例えば画面サイズが縦２４ｍｍ×横３６ｍｍに規定された３５ミリ判、縦１６．７ｍｍ×横３０．２ｍｍに規定されたＡＰＳサイズなどの写真フイルムを使用し、実画面が横長であるものが多い。また、撮像素子を内蔵する電子カメラでは、撮影画像をモニタ表示することを考慮して、有効撮像面の縦横比を３：４にしたものが主流である。
【０００３】
このため、撮影範囲を縦長にする場合には、カメラを持ち替える必要があり、体勢に無理が生じて構え方が不安定になるなどしてシャッタ操作がしずらくなることがある。そこで、従来では、カメラの２箇所にシャッタボタンを設け、撮影範囲が横長の横撮影時と、撮影範囲を縦長にした縦撮影時とでそれぞれ構えたときのシャッタ操作を楽に行えるようにしたものがある。
【０００４】
また、カメラを構え直す必要をなくすために、写真フイルムを結像レンズの光軸中心に回転させ、撮影範囲の縦横比を変更するもの（特許文献１参照）や、正方形の撮像面を有する撮像素子を内蔵し、横長画像を得るときには撮像された被写体像の上部と下部をカットし、縦長画像を得るときには被写体像の左部と右部をカットして、縦横比を標準フォーマットにトリミング処理した画像を記録するもの（特許文献２参照）がそれぞれ知られている。
【０００５】
【特許文献１】
特開平５−３４８０７号公報
【特許文献２】
特開平１１−３２７０３７号公報
【０００６】
【発明が解決しようとする課題】
しかしながら、上記特許文献１記載のように写真フイルムを回転させようとすると、パトローネやフイルム巻取り機構など写真フイルム周辺の部品ごと回転させる必要があるので、回転機構が大きくなり、構成が複雑になるという欠点がある。また、特許文献２に記載のように、撮像された被写体像の一部を切り捨てて横長画像と縦長画像を得るものでは、記録画像の画面サイズに比べて撮像素子に必要とされる画素数が大きくなるため、１回の撮影のデータ処理に時間がかかったり、カメラの製造コストが増大するという欠点がある。
【０００７】
本発明は、上記問題点を考慮してなされたもので、銀塩カメラにおいては写真フイルムを回転させる必要をなくし、電子カメラにおいては記録画像の画面サイズよりも大型の撮像素子を必要とすることのないカメラを提供することを目的とする。
【０００８】
【課題を解決するための手段】
上記目的を達成するために、本発明のカメラは、被写体光を像面上に結像させる結像光学系と、前記結像光学系を透過した光が入射することで前記像面上にある長方形をした撮影有効エリア内に被写体の回転像を形成する像回転光学系と、被写体像の回転角度を設定する設定手段と、前記回転角度に応じて前記像回転光学系を駆動させる駆動手段とを備えていることを特徴とする。
【０００９】
請求項２記載のカメラは、像面上に撮像素子が配置されるとともに、被写体画像が表示される略正方形状の表示画面を有するモニタと、被写体像の回転角度と同じ角度の回転処理をして被写体画像を前記モニタに出力する表示制御手段とを備えたことを特徴とするものである。
【００１０】
請求項３記載のカメラは、前記像回転光学系が結像光学系の光軸上に設けられたドーブプリズムからなり、前記駆動手段は、入力設定された回転角度の半分の角度で前記ドーブプリズムを前記光軸の周りに回転駆動させることを特徴とする請求項１記載のカメラ。
【００１１】
【発明の実施の形態】
図１において、デジタルスチルカメラ１には、その前面に撮像レンズ２が組み込まれた鏡筒部３と、光学ファインダ４、ストロボ発光部５、シャッタボタン６、赤目防止ランプ７等が設けられている。図２において、デジタルスチルカメラ１の背面には、液晶モニター８、入力操作パネル９が設けられている。入力操作パネル９は、十字キー１０、撮影範囲切り替えスイッチ１１、その他のボタンスイッチからなる。
【００１２】
デジタルスチルカメラ２の側面には、保護カバーを備えたカードスロット１２が設けられている。カードスロット１２には、撮影画像データを記憶させるメモリカード１３が差し込まれる。また、映像出力用端子やＵＳＢ端子などの端子群が設けられている。カードスロット１２と反対側の側面は撮影者に把持されるグリップ部として使用され、シャッタボタン６はグリップした状態で指が届く位置に設けられている。
【００１３】
図３において、鏡筒部３には撮像レンズ２とドーブプリズム２０が設けられ、ドーブプリズム２０の背後にはＣＣＤ撮像素子２１が設けられている。ＣＣＤ撮像素子２１は、有効画素が長方形に配列された有効撮像エリアを有し、デジタルスチルカメラ１を通常に構えたときに撮影範囲が横長になるように配置されている。すなわち、有効撮像エリアは垂直方向の一辺に対して水平方向の一辺が長くなっており、その縦横比は３：４となっている。
【００１４】
撮像レンズ２を透過した被写体光は、ドーブプリズム２０に入射すると、入射面２０ａで屈折し、プリズム底面２０ｂを反射し、出射面２０ｃで再度屈折してＣＣＤ撮像素子２１の光電面上で結像する。入射面２０ａと出射面２０ｃは、撮像レンズ２の光軸に対して互いに異なる向きに４５度傾斜しており、ドーブプリズム２０は等脚台形をした側面を有する角柱プリズムである。ＣＣＤ撮像素子２１の光電面上に形成される被写体像の向きはドーブプリズム２０の姿勢によって変化する。ドーブプリズム２０が撮像レンズ２の光軸上で回転すると、被写体像はその２倍の角度だけ回転する。
【００１５】
システムコントローラ２２は、デジタルスチルカメラ１の動作シーケンスを管理する。システムコントローラ２２では、入力操作パネル９から出力された操作信号に基づいて演算処理が行われ、カメラ各部に制御信号が送られる。画像信号処理回路２３は、ＣＣＤ撮像素子２１から出力された画像信号に、ノイズ低減処理、オートゲイン調節、ガンマ補正、ホワイトバランス調節などの信号処理を行う。Ａ／Ｄコンバータ２４は、画像信号処理回路２３から出力された画像信号をデジタル変換し、デジタル変換された画像信号をシステムコントローラ２２に出力する。
【００１６】
撮影時においては、ＣＣＤ撮像素子２１から出力された画像信号が液晶ドライバ２５に送られ、液晶モニター８には被写体の電子画像が連続表示される。このときにシャッタボタン６が操作されると、画像信号が内部メモリ２６に送られ、画像データとしてメモリ内に一時的に格納される。画像の保存を決定する入力操作が行われると、画像データがメモリカード１３に書き込まれる。
【００１７】
ＣＣＤドライバ２７は、システムコントローラ２２からの制御信号によりＣＣＤ撮像素子２１の駆動を管理する。レンズ駆動部２８は、撮像レンズ２を光軸方向に駆動させてフォーカス調節を行い、ＣＣＤ撮像素子２１に鮮鋭な被写体像を結ばせる。プリズム駆動部２９は、撮像レンズ２の光軸を中心にドーブプリズム２０を回転駆動させ、被写体像の向きを変更させる。
【００１８】
撮影範囲切り替えスイッチ１１はスライド操作が可能であり、撮影範囲を横長に設定する横撮影モードと、撮影範囲を縦長に設定する縦撮影モードとを切り替えるために使用される。撮影範囲切り替えスイッチ１１が操作されると、プリズム駆動部２９が作動してドーブプリズム２０を４５度回転駆動させ、被写体像を９０度回転させる。
【００１９】
図４において、液晶モニター８はその表示画面がほぼ正方形をしており、画面上では撮影画像と文字情報が分割表示される。横撮影モードでは、撮影画像を表示する画像表示エリアと文字情報が表示される文字情報表示エリアとが上下に分割され、撮影画像は横長に表示される。また、縦撮影モードでは、画像表示エリアと文字情報表示エリアとが左右に分割され、撮影画像が縦長に表示される。文字情報表示エリアには、撮影日時や露出設定の情報などが表示される。
【００２０】
次に本発明の作用について図５を用いて説明する。システムコントローラ２２からＣＣＤドライバ２７に制御信号が送られ、ＣＣＤ撮像素子２１が駆動を開始すると、撮像レンズ２とドーブプリズム２０を透過した被写体光が撮像される。システムコントローラ２２は、撮影範囲切り替えスイッチ１１の入力状態から縦撮影モードと横撮影モードの設定確認を行う。
【００２１】
横撮影モードに設定されているときは、プリズム底面２０ｂが下向きになるようにプリズム駆動部２９が駆動する（図６（ａ））。ＣＣＤ撮像素子２１から出力された画像信号は、システムコントローラ２２を介して液晶ドライバ２５に出力される。液晶モニター８には横長の被写体画像が表示され、被写体画像の下には文字情報が表示される。
【００２２】
縦撮影モードに設定されているときは、ドーブプリズム２０が横撮影モードの状態から４５度回転駆動する。このとき、被写体像はドーブプリズム２０の回転方向に９０度回転し、被写体の天地がＣＣＤ撮像素子２１の水平方向を向く（図６（ｂ））。ＣＣＤ撮像素子２１から出力された画像信号は、信号処理、デジタル変換が行われた後、システムコントローラ２２で回転処理され、液晶ドライバ２５に出力される。液晶モニター８には、縦長の被写体画像が表示され。被写体画像の横に文字情報が表示される。
【００２３】
各モード下でシャッタボタン６を操作すると、このときに撮像された被写体像の画像データが内部メモリ２６に書き込まれる。液晶モニター８には、画像を保存するか否かの選択メッセージが表示され、画像の保存を選択すると、内部メモリ２６に格納された画像データがメモリカード１３に書き込まれる。
【００２４】
このように、デジタルスチルカメラ１では、撮像レンズ２とＣＣＤ撮像素子２１の間に設けられたドーププリズム２０を回転させることで、被写体像の天地を撮像素子の画面水平方向あるいは画面垂直方向に自在に変換できる。
【００２５】
なお、上記実施形態では、ドーブプリズムの回転角度を４５度の一定駆動とすることで被写体像の回転角度を９０度として撮影範囲の縦横を切り替えるようにしているが、プリズムの回転角度をさらに細かく設定できるようにしてもよい。また、被写体像を回転させる光学系は、プリズムの他に複数枚のミラーを組み合わせたものでもよく、反射素子を用いて構成した場合、この像回転光学系を被写体光路上に移動させたり、あるいは退避させたりして縦撮影モードと横撮影モードが切り替えられるようにしてもよい。また、本発明は電子カメラに限られず、銀塩カメラに適用してもよい。
【００２６】
【発明の効果】
以上のように、本発明は、被写体像を光学的に回転させることでカメラを持ち替える必要がなく、また、写真フイルムを回転させたり、正方画面の撮像素子を用いる必要もなく、縦撮影と横撮影を難なく行うことができる。
【図面の簡単な説明】
【図１】
デジタルスチルカメラの正面斜視図である。
【図２】
デジタルスチルカメラの背面斜視図である。
【図３】
デジタルスチルカメラの電気的構成を示すブロック図である。
【図４】
横撮影時と縦撮影時における液晶画面の表示態様を示す平面図である。
【図５】
撮影時の動作の流れを概略的に示すフローチャートである。
【図６】
回転像が形成される様子を示す斜視図である。
【符号の説明】
２  結像レンズ
１１  撮影範囲切り替えスイッチ
２０  ドーブプリズム
２９  プリズム駆動部
【図１】
2004151233.tif 000003
【図２】
2004151233.tif 000004
【図３】
2004151233.tif 000005
【図４】
2004151233.tif 000006
【図５】
2004151233.tif 000007
【図６】
2004151233.tif 000008